(57)【要約】 【課題】  土壌中に真砂土を主成分とする固化層を配設し、固化層および固化板にコンクリートと異なる天然素材を用いて植物の成長抑制ならびに根系の伸長に要する埋設固化層緑化工法を提供するものである。更に、雑草の侵入が抑えられること、芝生などの植栽植物の刈取りを必要としないことなど、施工後の植生管理に要するコスト削減と、廃棄物削減に重きを置いた循環型の緑化工法を提供する。【解決手段】  植物の地上部の成長量と根部の成長量は常に一定の関係にあることに着目し、土壌中に固化層を敷設して根域制限し、被覆植物の成長を制御するものである。また、固化層として、コンクリートではなく、透水性と保水性に優れた真砂土を主原料とした天然素材を使用することを特徴とする。【選択図】  図１
2005054477.tif 000002
【特許請求の範囲】
【請求項１】
土壌中に、植物の地上部の成長量を所定高さに制限できる根部の深さに透水性及び保水性を備えた固化層を形成し、該固化層の上にコウライシバ、ノシバ、シバザクラなどの被覆植物を植栽することを特徴とする埋設固化層緑化工法。
【請求項２】
固化層が、重量比で真砂土７０〜８０％、ポルトランドセメント３〜５％、ノニオン系の界面活性剤適量を含む組成混合物で構成される請求項１記載の埋設固化層緑化工法。
【請求項３】
固化層の厚さが、植物固有の草丈に対応して１０ｍｍ以上を保有することを特徴とする請求項１〜２いずれか１項記載の埋設固化層緑化工法。
【請求項４】
固化層の底部に、雨水浸透のための排水用細孔を設けることを特徴とする請求項１〜３いずれか１項記載の埋設固化層緑化工法。
【発明の詳細な説明】
【技術分野】
【０００１】
本発明は、土壌中に真砂土を主成分とする固化層を配設し、その固化層の上に植物を植栽して、植物の成長抑制ならびに根系の伸長に要する埋設固化層緑化工法に関する。更に、植物発生材の保全に要する埋設固化層緑化工法に関する。
【背景技術】
【０００２】
従来の緑化工法は、法面などにおいて如何に強固な植生を形成するかに重きを置くものであった。その工法は種々考案され、次の工法が挙げられる。
特殊な糊を用いて被覆植物種子を法面に固定させる吹き付け工法や、コンクリート桝を組立て、その中に被覆植物を植栽する枠組み工法、更にはコンクリートで法面全体を被覆し、その上に厚層な芝生を載せる方法などがある。これらの工法はいずれもコンクリートを使用し、特にコンクリートで埋設固化層を作成した場合には、コンクリート層の透水性と保水性は全く期待されない。しかもコンクリートから浸出する灰汁により植物の成長が妨げられるために、コンクリートスラブ面から芝生が剥離することも十分に予想される。
【０００３】
更に、吹き付け工法や枠組み工法は法面の植生形成のための工法であって、植生形成後の維持管理については全く考慮されていない。即ち、これらの工法では、植栽した芝生などの植物は、一定の高さに刈り揃える必要があり、刈り払い機による刈取りが行なわれているが、傾斜地での作業は危険性を伴う。また、クズやススキなど雑草が侵入し易く、侵入した雑草も放置と共に大型化して、被服植物などの植生維持のためには一定の間隔での草刈や手取りによる雑草防除が必要となる。更に、刈取った雑草など植物発生材の収集、運搬、廃棄など植物管理に膨大な労力とエネルギーを要している。
また、前記の吹き付け工法や枠組み工法などではコンクリートを用いていることから、いずれは産業廃棄物として処分しなければならないことも極めて重要な課題である。
以上のように、いずれの緑化工法の利用には限界があり、このままでは実用に耐えない。
【発明の開示】
【発明が解決しようとする課題】
【０００４】
そこで本発明は、土壌中に真砂土を主成分とする固化層を配設し、固化層および固化板にコンクリートと異なる天然素材を用いて植物の成長抑制ならびに根系の伸長に要する埋設固化層緑化工法を提供するものである。更に、雑草の侵入が抑えられること、芝生などの植栽植物の刈取りを必要としないことなど、施工後の植生管理に要するコスト削減と、廃棄物削減に重きを置いた循環型の緑化工法を提供するものである。
【課題を解決するための手段】
【０００５】
そこで、本発明は、植物の地上部の成長量と根部の成長量は常に一定の関係にあることに着目し、土壌中に固化層を敷設して根域制限し、被覆植物の成長を制御するものであり、また、固化層として、コンクリートではなく、透水性と保水性に優れた真砂土を主原料とした天然素材を使用することを特徴とする。
上記目的を達成するための請求項１記載の埋設固化層緑化工法は、土壌中に、植物の地上部の成長量を所定高さに制限できる根部の深さに透水性及び保水性を備えた固化層を形成し、該固化層の上にコウライシバ、ノシバ、シバザクラなどの被覆植物を植栽することを特徴とする。
請求項２記載の発明は、固化層が、重量比で真砂土７０〜８０％、ポルトランドセメント３〜５％、ノニオン系の界面活性剤適量を含む組成混合物で構成される。
請求項３記載の発明は、固化層の厚さが、植物固有の草丈に対応して１０ｍｍ以上を保有することを特徴とする。
請求項４記載の発明は、固化層の底部に、雨水浸透のための排水用細孔を設けることを特徴とする。
【発明の効果】
【０００６】
本発明は、固化層を配設して深さを設定できるので、植物の成長を制御でき、芝生などの植栽植物の刈取りを必要とせず、且つ雑草の侵入が抑えられることができる。また、植物根系の伸長を図ることができ、固化層に根を張ることができるので、根こそぎ流出することがない。更に法面においては、階段状あるいは波状の固化層に施工し且つ排水用細孔を配設しているので、大雨でも植物が流出することがない。
更に、固化層および固化板にコンクリートと異なる天然素材を用いているので、土壌の劣化や廃棄物削減、施工後の植生管理に要するコスト削減ができる。
【発明を実施するための最良の形態】
【０００７】
この発明の実施の形態を、図１、図２、図３、図４、および図５、更に表１に基づいて説明する。
図１は、根域制限による植物の抑制を表す概念図である。草丈と根長の関係であるＳ／Ｒ比は常に一定の関係にあることが知られており、根が成長する地下部空間を人為的に制限することを根域制限といい、根域を制限することにより草丈を抑えることができる。本図左図は根域制限なしの状態を表し、根長に制限がないので草丈の伸び方に制限がない。土壌中に中程度の根域制限を設けた本図中図は、その制限範囲内にしか根長は伸長せず、その量に応じた草丈に成長している。本図右図は、その根域制限を極端に浅く施設することにより、根長の伸長を極端に抑え、草丈の成長を強く抑制している。
【実施例１】
【０００８】
この概念に基づき、図２に本発明の埋設固化層緑化工法の一実施例を説明する。
深さ３０ｍｍの土壌中に、厚さ１０ｍｍの埋設固化層１を敷設し、その上に設けた土壌層２にコウライシバ、エノコログサ、ヒメシバ、カヤツリグサ、イヌビユの被覆植物３を植栽した。
該埋設固化層１の構成は、基本組成としては真砂土を主成分とし、少量のセメント及び界面活性剤を含む組成混合物で、重量比で真砂土７０〜８０％、セメント３〜５％、ノニオン系界面活性剤適量の組成混合物とした。 真砂土は、山砂の主として花崗岩などが風化してできた土で、火山灰などの粘土質を除いたものを用いた。 界面活性剤は、ノニオン系のもので、ノニルフェニルエーテル系重合体で炭素数６〜７のもの、オーストラリアのデプコ・プティ・リミテッド社（ＤＥＢＣＯ  ＰＴＹ．ＬＩＭＩＴＥＤ）製のサチュライドを用いた。
上記埋設固化層１は透水性と保水性を兼ね備え、その結果、各植物の草丈が工２ヶ月で生育した。
その生育状況を表１に示す。
【０００９】
【表１】
2005054477.tif 000003
【００１０】
表１に示すように、土壌中に固化層を敷設することにより、コウライシバでは69.0％とやや効果が劣るものの、エノコログサやヒメシバなどの雑草では無施工区に対する草丈が19.6％から31.1％まで抑制された。更に雑草防除と刈り込み軽減が図られ、本工法が極めて有効な工法であることが明らかとなった。なお、コウライシバに対する抑制作用が小さい原因は、コウライシバが本来、草丈の低い植物であるため、その効果が現れ難いものと考えられる。
【実施例２】
【００１１】
以上は平面土壌における埋設固化層緑化工法の実施例であるが、次に、法面における実施例を図３に、また固定アンカーの変更実施例を図４に示す。
法面を任意の深さに掘削し、掘削した土壌表面を可能な限り平均化して、土質にもよるが、埋設固化層１と土壌間の水分移動を保つために、砂層４を１０ｍｍ程度の厚さに敷く。埋設固化層の厚さは、耐久性、強度などの点から、概ね２０〜２,０００ｍｍの範囲とするが、河川堤防法面や道路法面などのように高い強度を要求される場所では、埋設固化層の厚さを１,０００〜２,０００ｍｍと厚めにする。また、施工場所の傾斜角度によっては埋設固化層のずり下がりを防ぐために固定アンカー５を土壌に打つか、あるいは固定アンカー５にワイヤー６を取りつけ、そのワイヤー６で埋設固化層１を吊り下げる。この場合、固定アンカー５を打つ間隔と深さは埋設固化層１の厚さと傾斜角度によって決める。
【００１２】
また形成された埋設固化層上部の土壌が流出せず固定されやすいように、埋設固化層上部の形状も考案を要する。その固化板１１の構造図を図５に示す。
埋設固化層上部の形状は土壌が固定されやすいように、平面状ではなく、階段状あるいは波状に施工する。この形状に施工するために該形状を持った固化板１１を形成する。更に、固化層１自体が透水性を有するため、通常の降雨では雨水は固化層１を通過し、下層の土壌に浸透するが、極端な大雨によって植物の根系が埋設固化層スラブ面から剥離してしまう危険性があるので、雨水浸透のための排水用細孔７を該固化板底部に設ける。固化板１１に固化層１を敷設した後、固化層スラブ上部に土壌を載せてコウライシバやシバザクラなどの植物を植栽することができる。
【産業上の利用可能性】
【００１３】
本発明は、平地面では、道路の路肩、中央分離帯等、斜面では、河川堤防、道路、農地湖畔法面等において利用が可能である。
【図面の簡単な説明】
【００１４】
【図１】根域制限による植物の抑制概念図
【図２】本発明の１実施例を示す埋設固化層緑化工法
【図３】法面における実施例
【図４】法面における固定アンカー変更実施例
【図５】法面における固化板構造図
【符号の説明】
【００１５】
１      埋設固化層
２      土壌層
３      被覆植物
４      砂層
５      固定アンカー
６      ワイヤーロープ
７      排水用細孔
１１      固化板
【図１】
2005054477.tif 000004
【図２】
2005054477.tif 000005
【図３】
2005054477.tif 000006
【図５】
2005054477.tif 000007
【図４】
2005054477.tif 000008